(57)【要約】【課題】設置工事が簡単で工事の効率がよい基地局装置を提供する。【解決手段】アンテナＡＮＴ１〜ＡＮＴ８を基地局に接続するときに基地局のコネクタＣＯＮ１〜ＣＯＮ８に対してランダムに接続が行なわれても、後からアンテナ切換スイッチ２によって切換を行ないダイバーシティ方式の受信やアダプティブアレイ処理による受信に最適な接続関係とすることができる。制御回路８が試験電波送出回路１１を介していずれか１つのアンテナから電波を送出し残りのアンテナで受信した電波レベルを解析することにより接続されているアンテナの相対的な位置関係が判明する。この解析結果に基づきアンテナ選択制御回路９がアンテナ切換スイッチ２を制御してアンテナを接続し直す。【選択図】        図１
2004289220.tif 000002
【特許請求の範囲】
【請求項１】
複数のアンテナにそれぞれ接続するための複数のコネクタと、
前記複数のアンテナを用いて送受信を行う複数の送受信回路と、
前記複数のコネクタと前記複数の送受信回路との間に設けられ前記複数のコネクタと前記複数の送受信回路との接続関係を変更できるアンテナ切替スイッチとを備える、基地局装置。
【請求項２】
前記複数のアンテナは、前記複数の送受信回路の数と等しい数の複数のグループに分割され、
前記基地局装置は、
前記アンテナ切替スイッチが初期状態であるときに、前記複数のコネクタを経由して前記複数のアンテナの特性を取得し、前記複数のコネクタにそれぞれ接続されている前記複数のアンテナの各々が前記複数のグループのいずれに属すべきものかを取得した前記特性に基づいて判断し、前記アンテナ切替スイッチの状態を前記初期状態から使用に適した使用状態に切替える制御部をさらに備える、請求項１に記載の基地局装置。
【請求項３】
前記制御部は、
前記複数のコネクタのうちの１つに接続されたアンテナを送信アンテナとして、試験電波を送出する送出回路と、
前記複数のアンテナのうちの前記送信アンテナ以外を受信アンテナとして、前記試験電波を受信する受信回路と、
前記受信回路からの前記複数のアンテナ毎の前記試験電波の受信信号から情報を抽出し、記録する記録回路と、
前記アンテナ切替スイッチに対して前記送出回路に接続するコネクタを前記複数のコネクタの中から順次切替える指示を行う選択制御回路と、
前記記録回路に記録された前記情報からアンテナ配置を推定し、前記アンテナ切替スイッチの前記使用状態の設定を決定する制御回路とを含む、請求項２に記載の基地局装置。
【請求項４】
前記複数のアンテナには、配置位置に対応する互いに異なる特性を有する複数の素子がそれぞれ接続され、
前記制御部は、
前記複数の素子の各々の前記特性を前記複数のコネクタを経由して測定する測定回路と、
前記測定回路の測定結果に基づきアンテナ配置を推定し、前記アンテナ切替スイッチの前記使用状態の設定を決定する制御回路とを含む、請求項２に記載の基地局装置。
【請求項５】
前記複数の素子は、抵抗素子である、請求項４に記載の基地局装置。
【発明の詳細な説明】
【０００１】
【発明の属する技術分野】
この発明は、移動体通信における基地局装置に関する。
【０００２】
【従来の技術】
一般に、携帯電話やＰＨＳ（Ｐｅｒｓｏｎａｌ  Ｈａｎｄｙｐｈｏｎｅ  Ｓｙｓｔｅｍ）などの移動体通信では、電波の有効利用のためセル方式が用いられ多数のセルに対応する多数の基地局が必要である。
【０００３】
また最近ではダイバーシティ受信方式やアダプティブアレイなどの処理が行なわれる。ダイバーシティ受信方式やアダプティブアレイ処理などでは、各基地局において複数のアンテナを用いる。複数のアンテナは、所定の配置、たとえば同心円上に設置される。このようなダイバーシティ方式やアダプティブアレイ処理を行なうことにより、利得の向上や干渉の除去あるいは電波の利用効率の向上などが図られている。
【０００４】
しかしながら、このような複数のアンテナを必要とする基地局でのアンテナ設置工事は、複数のアンテナからのケーブルを基地局装置の本体に接続する必要がある。アンテナの素子数に相当する数のアンテナケーブルがあり、これをアンテナから離れた位置にある基地局装置本体に接続しなければならないので、作業にある程度の困難性が伴う。
【０００５】
図１１は、アンテナと基地局装置本体との接続工事を説明するための図である。
【０００６】
図１１を参照して、支柱Ｐの上端部に同心円上に配置されたアンテナＡＮＴ１〜ＡＮＴ８が設置されている。一方支柱Ｐの下部には箱Ｂが設けられており、中に基地局装置が収められている。アンテナＡＮＴ１〜ＡＮＴ８はそれぞれケーブルＣＢ１〜ＣＢ８によって基地局装置に接続される。
【０００７】
図１２は、従来の基地局装置５０１の構成を示したブロック図である。
図１２を参照して、基地局装置５０１は、アンテナＡＮＴ１，ＡＮＴ３，ＡＮＴ５，ＡＮＴ７を用いて送受信を行なう第１の系統の無線送受信回路５０３と、アンテナＡＮＴ２，ＡＮＴ４，ＡＮＴ６，ＡＮＴ８を用いて送受信を行なう第２の系統の無線送受信回路５０６とを含む。
【０００８】
基地局装置５０１は、さらに、無線送受信回路５０３に対応して設けられる第１系統のデジタル信号処理回路５０４と、無線送受信回路５０６に対応して設けられる第２系統のデジタル信号処理回路５０７と、デジタル信号処理回路５０４，５０７と通信網との間のインターフェイスを担当する回線インターフェイス回路５０５と、基地局装置５０１の各回路に対する全体的な制御を行なう制御回路５０８とを含む。
【０００９】
図１２に示すように、近年は１つの基地局のエリアにおいても多くのユーザの通話が可能なようにこのように複数の無線送受信回路（チューナ）を搭載する基地局が多くなっている。複数の無線送受信回路は、同じ周波数帯においてそれぞれ異なる周波数のチャンネルを使用している。
【００１０】
複数の無線送受信回路はアンテナを共用することも可能であるが、その場合には基地局装置の内部に複数の無線送受信装置からの発信電波を合成してアンテナに伝達する回路等が必要になる。この場合は基地局装置の本体の価格が上昇してしまう。
【００１１】
また、たとえば、ユーザの使用頻度に応じて、市街地では無線送受信回路を複数搭載する基地局とし、郊外や山間部では無線送受信回路を単数搭載する基地局とするような場合には、アンテナを無線送受信回路ごとに別々に設けるほうが無線送受信回路の部品の共用ができて便利である。
【００１２】
図１３は、図１１において説明したアンテナと図１２で説明した基地局装置との接続例を説明するための図である。
【００１３】
図１３を参照して、たとえばダイバーシティ受信においては、近接した２つのアンテナを用いて行なうよりも離れた位置にある２つのアンテナを用いて受信を行なう方が好ましい。このような観点から、たとえば、２つのチューナにそれぞれ対応させてグループＧ１，グループＧ２のようにアンテナを配置することが好ましい。
【００１４】
たとえば、アンテナＡＮＴ１，ＡＮＴ２を１つのチューナに割当てると両者の空間的な配置が近接しているため、近隣のビルなどの影響を受ける場合にはアンテナＡＮＴ１，ＡＮＴ２の両方とも受信状態が弱くなることが予想される。したがってアンテナＡＮＴ１による受信が弱い場合には、アンテナＡＮＴ５で受信することができるようする必要がある。つまり、１つのチューナに対するアンテナの割当は、位置的に近接した塊として割当てるよりはばらけた配置にしておく方が好ましい。
【００１５】
なお、基地局装置の設置工事について説明した参考文献として、特許文献１（特開平１０−４１８７３号公報）がある。
【００１６】
【特許文献１】
特開平１０−４１８７３号公報
【００１７】
【発明が解決しようとする課題】
しかしながら、図１１、図１２に示した従来の基地局では、アンテナ設置工事において複数のケーブルを図１３で示したような好ましい対応関係で基地局のコネクタに接続しなければならない。このためには、基地局のコネクタに接続される側のケーブルの端部にアンテナとの対応がわかる印を付しておかなければならない。また、印を付しておいたとしても、工事の際に繋ぎ間違いが発生する場合もあり、この場合には基地局装置の性能を最大限に引出すことができない。
【００１８】
この発明の目的は、工事の能率が向上する基地局装置を提供することである。
【００１９】
【課題を解決するための手段】
この発明は要約すると、基地局装置であって、複数のアンテナにそれぞれ接続するための複数のコネクタと、複数のアンテナを用いて送受信を行う複数の送受信回路と、複数のコネクタと複数の送受信回路との間に設けられ複数のコネクタと複数の送受信回路との接続関係を変更できるアンテナ切替スイッチとを備える。
【００２０】
好ましくは、複数のアンテナは、複数の送受信回路の数と等しい数の複数のグループに分割される。基地局装置は、アンテナ切替スイッチが初期状態であるときに、複数のコネクタを経由して複数のアンテナの特性を取得し、複数のコネクタにそれぞれ接続されている複数のアンテナの各々が複数のグループのいずれに属すべきものかを取得した特性に基づいて判断し、アンテナ切替スイッチの状態を初期状態から使用に適した使用状態に切替える制御部をさらに備える。
【００２１】
より好ましくは、制御部は、複数のコネクタのうちの１つに接続されたアンテナを送信アンテナとして、試験電波を送出する送出回路と、複数のアンテナのうちの送信アンテナ以外を受信アンテナとして、試験電波を受信する受信回路と、受信回路からの複数のアンテナ毎の試験電波の受信信号から情報を抽出し、記録する記録回路と、アンテナ切替スイッチに対して送出回路に接続するコネクタを複数のコネクタの中から順次切替える指示を行う選択制御回路と、記録回路に記録された情報からアンテナ配置を推定し、アンテナ切替スイッチの使用状態の設定を決定する制御回路とを含む。
【００２２】
より好ましくは、複数のアンテナには、配置位置に対応する互いに異なる特性を有する複数の素子がそれぞれ接続され、制御部は、複数の素子の各々の特性を複数のコネクタを経由して測定する測定回路と、測定回路の測定結果に基づきアンテナ配置を推定し、アンテナ切替スイッチの使用状態の設定を決定する制御回路とを含む。
【００２３】
さらに好ましくは、複数の素子は、抵抗素子である。
【００２４】
【発明の実施の形態】
以下において、本発明の実施の形態について図面を参照して詳しく説明する。なお、図中同一符号は同一または相当部分を示す。
【００２５】
以下の実施の形態では、通信装置の１つであるＰＨＳ基地局装置を例に説明する。
【００２６】
［実施の形態１］
図１は、実施の形態１の基地局装置１の構成を示したブロック図である。
【００２７】
図１を参照して、基地局装置１は、移動体端末装置との無線接続を行なう８本のアンテナＡＮＴ１〜ＡＮＴ８と、ＡＮＴ１〜ＡＮＴ８と基地局の内部回路との信号の接続の切替を行なうアンテナ切替スイッチ２と、アンテナ切替スイッチ２によって接続されるアンテナからの無線信号の増幅や周波数変換あるいは変復調などの無線信号処理を行なう無線送受信回路３，６と、無線送受信回路３，６にそれぞれ対応して設けられ、ベースバンドレベルでの送受信信号をデジタル処理するデジタル信号処理回路４，７と、デジタル信号処理回路４，７と通信網との間に設けられ通信網との呼接続を行なってデータを送受する回線インターフェイス回路５とを含む。
【００２８】
基地局装置１は、さらに、アンテナ設置工事時に試験電波を送出する試験電波送出回路１１と、試験電波送出回路１１が送出した電波を、アンテナＡＮＴ１〜ＡＮＴ８を介して受信する試験電波受信回路１２と、試験電波受信回路１２からの受信信号のレベル解析を行なって記録する信号解析記録回路１０と、信号解析記録回路１０で解析した結果をもとにアンテナ切替スイッチ２の接続方法を制御するアンテナ選択制御回路９と、基地局装置１の内部の機能ブロックに総合的に接続され、全体の統括的な制御を司る制御回路８とを含む。
【００２９】
試験電波送出回路１１、試験電波受信回路１２、信号解析記録回路１０、アンテナ選択制御回路９および制御回路８は、制御部１５として動作する。この制御部１５は、アンテナ切替スイッチ２が初期状態であるときに、アンテナが接続される複数のコネクタＣＯＮ１〜ＣＯＮ８を経由して複数のアンテナＡＮＴ１〜ＡＮＴ８の特性を取得する。そして制御部１５は、複数のコネクタＣＯＮ１〜ＣＯＮ８にそれぞれ接続されている複数のアンテナＡＮＴ１〜ＡＮＴ８の各々が無線送受信回路３，６に対応する２つのグループのいずれに属すべきものかを取得した特性に基づいて判断し、アンテナ切替スイッチ２の状態を初期状態から使用に適した使用状態に切替える。
【００３０】
図２は、本発明のＰＨＳ基地局装置の設置工事で、アンテナ接続を行なう場合について説明するための図である。
【００３１】
図１、図２を参照して、設置工事について説明する。基地局装置本体やアンテナ、ブレーカなどの電源設備、保安器などの通信回線設備等の設置や接続が完了した状態にあるとする。ここでは、アンテナＡＮＴ１〜ＡＮＴ８の８本のアンテナと基地局装置１とは接続はケーブルＣＢ１〜ＣＢ８で接続される。
【００３２】
アンテナＡＮＴ１〜ＡＮＴ８とコネクタＣＯＮ１〜ＣＯＮ８とは、１対１対応で接続されているが、各アンテナがどのコネクタに接続されているかは不明な状態である。このように機械的な設置や接続が完了した状態から説明を始める。
【００３３】
まず初めに、基地局装置の電源が投入されると、制御回路８は、回線インターフェイス回路５を介して通信網に接続されている図示しないセンター装置との接続を試み、通信網との同期確立やプロトコルの確認等通信回線の開通に要する処理を行なう。
【００３４】
そして、通信回線の設定が確認されると、制御回路８は、デジタル信号処理回路４，７に対し指示を送り無線送受信回路３，６を起動させる。そして、制御回路８は、基地局周辺の電波状況を確認し、周辺に運用中の基地局が見つかれば、その基地局の電波放射タイミングを基準にした無線タイミングの同期を確立する。
【００３５】
このとき、アンテナＡＮＴ１〜ＡＮＴ８と無線送受信回路３，６との接続は、初期状態にある。初期状態では、アンテナ切替スイッチ２は、図２の基地局のアンテナコネクタＣＯＮ１，ＣＯＮ２，ＣＯＮ３，ＣＯＮ４が図１の無線送受信回路３に接続され、アンテナコネクタＣＯＮ５，ＣＯＮ６，ＣＯＮ７，ＣＯＮ８が無線送受信回路６へ接続された状態にある。
【００３６】
ただし、基地局設置工事の際に、アンテナＡＮＴ〜ＡＮＴ３と基地局のアンテナコネクタＣＯＮ１〜ＣＯＮ８との接続がランダムであることから、アンテナと無線送受信回路３，６との接続関係は結果的にランダムとなる。しかし、アンテナを区別しない同期確認のための受信では、動作の支障はない。
【００３７】
さて、ここまでの設置作業により、アンテナと無線送受信回路３，６との接続関係以外は、運用のための準備が整った状態となっている。しかし、アンテナはランダムに接続されていることから、無線特性の向上に理想的とされる空間的なばらつきが最良の状態とはなっていない。
【００３８】
たとえば、ダイバーシティ受信であれば、アンテナ間の位置が離れているのが理想であるが、初期状態においては無線送受信回路３に割当てられたアンテナが近接して配置されているという場合もあり得る。ここで、アンテナ設置工事によるランダムの接続の結果、図２に示すように、コネクタＣＯＮ１，ＣＯＮ２，ＣＯＮ３，ＣＯＮ４に、それぞれアンテナＡＮＴ１，ＡＮＴ８，ＡＮＴ３，ＡＮＴ６が接続されたとする。また、コネクタＣＯＮ５，ＣＯＮ６，ＣＯＮ７，ＣＯＮ８に、それぞれアンテナＡＮＴ２，ＡＮＴ４，ＡＮＴ７，ＡＮＴ５が接続されたとする。このような状態で、本発明の基地局装置は、アンテナ配置の推測とアンテナ切替スイッチの設定を行なう。
【００３９】
図１に示した基地局は、アンテナＡＮＴ１〜ＡＮＴ８を基地局に接続するときに基地局のコネクタＣＯＮ１〜ＣＯＮ８に対してランダムに接続が行なわれても、後からアンテナ切換スイッチ２によって切換を行ないダイバーシティ方式の受信やアダプティブアレイ処理による受信に最適な接続関係とすることができる。制御回路８が試験電波送出回路１１を介していずれか１つのアンテナから電波を送出し残りのアンテナで受信した電波レベルを解析することにより接続されているアンテナの相対的な位置関係が判明する。この解析結果に基づきアンテナ選択制御回路９がアンテナ切換スイッチ２を制御してアンテナを接続し直す。
【００４０】
図３は、アンテナ切替スイッチの内部の構成を示した図である。
図３を参照して、アンテナ切替スイッチ２は、アンテナに接続するためのコネクタが設けられている切替部２１と、切替部２１と無線送受信回路３，６との間の接続関係を決定する接続スイッチ２２と、切替部２１と試験電波送出回路１１，試験電波受信回路１２との接続を決定する接続スイッチ２３とを含む。
【００４１】
切替部２１は、コネクタＣＯＮ１〜ＣＯＮ８と内部ノードＮ１〜Ｎ８との接続を任意に切替えることができる。代表的にコネクタＣＯＮ１について説明する。コネクタＣＯＮ１は、内部ノードＮ１〜Ｎ８のいずれにも接続可能なようになっている。具体的には、内部ノードＮ１〜Ｎ８のうちの１つをコネクタＣＯＮ１に接続するような切替えスイッチを内蔵しても良いし、また内部ノードＮ１〜Ｎ８にそれぞれ接続するための８つのスイッチの１つを選択的に導通させるような構成でもよい。他のコネクタＣＯＮ２〜ＣＯＮ８に対してもコネクタＣＯＮ１と同様な対応する構成が設けられる。
【００４２】
接続スイッチ２２は、内部ノードＮ１〜Ｎ４を無線送受信回路３と接続する４つのスイッチと、内部ノードＮ５〜Ｎ８を無線送受信回路６と接続する４つのスイッチとを含む。
【００４３】
接続スイッチ２３は、内部ノードＮ１と試験電波送出回路１１の出力とを接続する１つのスイッチと、内部ノードＮ２〜Ｎ８と試験電波受信回路１２の入力とを接続する７つのスイッチとを含む。
【００４４】
図４は、試験電波の送出と受信を説明するための図である。
図４を参照して、本発明では、アンテナＡＮＴ１〜ＡＮＴ８のうちの１つから電波を送出して残りのアンテナを用いて送出された試験電波を受信する。たとえばアンテナＡＮＴ１から送出された試験電波は、アンテナＡＮＴ１との間の距離が近いアンテナでは強く受信され、距離が離れたアンテナでは弱く受信される。したがって、アンテナＡＮＴ１からの送出された試験電波は、アンテナＡＮＴ２（基地局コネクタＣＯＮ５に接続されている）と、アンテナＡＮＴ８（基地局コネクタＣＯＮ２に接続されている）とで強く受信されることになる。
【００４５】
図５は、試験時におけるアンテナ切替えスイッチ２内部の信号の流れを示す図である。
【００４６】
図６は、アンテナの配置の推測とアンテナ切替スイッチの設定を行なう動作を説明するためのフローチャートである。
【００４７】
図５、図６を参照して、まずステップＳ１で、工事において機械的な設置や接続が完了した状態でアンテナ切替動作が開始される。
【００４８】
ステップＳ２において、アンテナ切替スイッチ２の設定を行なう。接続スイッチ２２をすべて開放状態として切替部２１と無線送受信回路３および６とを分離し、接続スイッチ２３を用いて切替部２１と試験電波送出回路１１および試験電波受信回路１２とを接続する。続いてステップＳ３において初期値としてＮ＝１が設定される。
【００４９】
次にステップＳ４において、切替部２１の内部でＮ番目のアンテナコネクタを試験電波送出回路へ接続する。そしてステップＳ５において、切替部２１の内部でＮ番目のアンテナコネクタ以外を試験電波受信回路１２に接続する。そしてステップＳ６においてＮ番目のアンテナコネクタより試験電波を送出する。
【００５０】
ここでＮ＝１の場合は、図５の切替部２１においてコネクタＣＯＮ１とノードＮ１とが接続され、試験電波送出回路１１からの信号がこの経路を介してコネクタに接続されているアンテナから送出される。また切替部２１においてコネクタＣＯＮ２〜ＣＯＮ８はそれぞれノードＮ２〜Ｎ８と接続され、この接続により受信される経路が形成される。
【００５１】
試験電波送出回路１１から発信される試験電波は、微弱な電波である。たとえばＰＨＳ基地局装置が本来送出する電波の範疇で、かつ端末に対して意味のない信号を極めて微弱にして送出する。送出タイミングは、前に確立している周辺基地局の送信タイミングに同期させる。
【００５２】
次にステップＳ７において、Ｎ番目のアンテナコネクタに接続されたアンテナ以外のアンテナで試験電波を受信する。たとえばＮ＝１である場合には、コネクタＣＯＮ１に接続されたアンテナから送信された試験電波は極めて微弱であるので、送信アンテナに近いアンテナでは強く、また距離が離れるに従い減衰して弱く受信される。この受信は、試験電波受信回路１２に複数の受信部を設けておけば同時に受信することができる。また、受信部を１つしか設けていない場合は、接続スイッチ２３の試験電波受信回路１２に接続されるスイッチを順番に１つずつ接続すればシーケンシャルに受信することができる。
【００５３】
受信が終了すると、ステップＳ８において試験電波送出回路１１からの試験電波の送出を停止する。そしてステップＳ９において信号解析記録回路１０で受信信号の解析と記録を行なう。信号解析記録回路１０では、各アンテナごとに受信レベルを記録し、コネクタＣＯＮ１に接続されているアンテナからの電波送出試験の終了を制御回路８に通知する。
【００５４】
これを受けステップＳ１０において全アンテナが完了したか否かが確認され、全アンテナに対する試験が完了していない場合には、ステップＳ１１に進みＮがインクリメントされる。ＮがインクリメントされてＮ＝２になった場合には、切替部２１においてアンテナコネクタＣＯＮ２はノードＮ１に接続され、コネクタＣＯＮ１はノードＮ２に接続される。これによりコネクタＣＯＮ２から電波の送出が行なわれ、コネクタＣＯＮ１，ＣＯＮ３〜ＣＯＮ８からは試験電波の受信が行なわれる。このようにしてステップＳ４〜Ｓ９の動作がすべてのアンテナが完了するまで繰返される。
【００５５】
すべてのアンテナについて受信信号の記録が完了したら、ステップＳ１２に進み信号解析記録回路１０は、収集したデータよりテーブルを作成し、アンテナ配置の推定を開始する。
【００５６】
図７は、ステップＳ１２で作成されたテーブルの一例を示す図である。
図７では、各アンテナで受信したデータにおいて受信レベルが最大のものを１００に設定している。たとえば、コネクタＣＯＮ１から送出された電波は、コネクタＣＯＮ２を経由して受信レベルが１００で受信されている。また、コネクタＣＯＮ１から送信された電波はコネクタＣＯＮ３を経由して受信レベル３０で受信されている。
【００５７】
このように、受信レベルの例では、縦方向に送信したアンテナコネクタが、横方向には受信したアンテナコネクタが記載されている。この状態では基地局ではアンテナの番号は不明であるため、コネクタ番号同士の対応付けがなされている。
【００５８】
図７の受信レベルを用いてアンテナの位置関係の推定がなされる。まずコネクタＣＯＮ１を基準に考えると、コネクタＣＯＮ１から送出した試験電波は、コネクタＣＯＮ２とコネクタＣＯＮ５での受信レベルが高い。したがって、コネクタＣＯＮ１に接続されたアンテナの両脇には、コネクタＣＯＮ２，ＣＯＮ５にそれぞれ接続された２つのアンテナが位置しているものと推測される。
【００５９】
次に、コネクタＣＯＮ１に接続されたアンテナの隣のアンテナが接続されていると推測されたコネクタＣＯＮ５に注目する。コネクタＣＯＮ５から送信した場合では、コネクタＣＯＮ１とコネクタＣＯＮ３を経由した受信レベルが高い。以上より、コネクタＣＯＮ１，ＣＯＮ５，ＣＯＮ３に接続された３つのアンテナが順に並んでいると推測できる。
【００６０】
さらに、コネクタＣＯＮ３に注目すると、コネクタＣＯＮ３から送信した場合はコネクタＣＯＮ５とコネクタＣＯＮ６の受信レベルが高い。以上よりコネクタＣＯＮ１，ＣＯＮ５，ＣＯＮ３，ＣＯＮ６の順が推測できる。この手順の繰返しにより全体配置が推測される。
【００６１】
図８は、図７で示した受信レベルの一例によって推測された全体配置を示した図である。
【００６２】
アンテナＡＮＴ１，ＡＮＴ２，ＡＮＴ３，ＡＮＴ４には、それぞれコネクタＣＯＮ１，ＣＯＮ５，ＣＯＮ３，ＣＯＮ６が接続されていると推測された。またアンテナＡＮＴ５，ＡＮＴ６，ＡＮＴ７，ＡＮＴ８はコネクタＣＯＮ８，ＣＯＮ４，ＣＯＮ７，ＣＯＮ２にそれぞれ接続されていると推測された。
【００６３】
再び図６を参照して、アンテナの配置の推定が終了すると、ステップＳ１３に進み、アンテナ切替スイッチの接続が行なわれる。
【００６４】
図９は、アンテナ切替スイッチの接続を説明するための図である。
図９を参照して、推定結果に基づき、アンテナ切替スイッチ２の内部の切替部２１では、コネクタＣＯＮ１，ＣＯＮ３，ＣＯＮ８，ＣＯＮ７を無線送受信回路３に接続する。また切替部２１ではさらに、コネクタＣＯＮ５，ＣＯＮ６，ＣＯＮ４，ＣＯＮ２を無線送受信回路６に接続する。このように接続の切替がなされた後に接続スイッチ２２をすべて接続状態とする。なお、図示していないが接続スイッチ２３はすべてオフ状態とされ、試験電波送出回路１１および試験電波受信回路１２はコネクタＣＯＮ１〜ＣＯＮ８から分離される。
【００６５】
このように設定することにより、結局アンテナＡＮＴ１，ＡＮＴ３，ＡＮＴ５，ＡＮＴ７が無線送受信回路３に接続される。一方、アンテナＡＮＴ２，ＡＮＴ４，ＡＮＴ６，ＡＮＴ８は無線送受信回路６に接続される。このようにすることにより、図１３で説明したグループＧ１，Ｇ２のグループ分けがなされる。
【００６６】
なお、ここまでの説明では、試験電波の送受信においては、専用の試験電波送信、受信回路を構成したが、これに限るものではなく、たとえば、運用で使用する無線の送信、受信回路のいずれかを利用してもよいし、あるいはその両方を利用してもよい。
【００６７】
また、試験電波受信回路は、複数のアンテナからの受信を同一タイミングで行なう場合は、アンテナの本数分の受信回路を内蔵する。また１つの受信回路で順次アンテナを切替えて受信を行なう方法でも同様の効果を得ることができる。
【００６８】
以上説明したように、実施の形態１の基地局装置は、アンテナとコネクタとの接続の対応関係を工事時に厳密に一致させる必要が無いので、工事がしやすく基地局の設置工事の能率が向上するとともに、アンテナ切替スイッチにより適切な接続がなされるため性能を十分に発揮できる。
【００６９】
また、現実に電波を出力してアンテナで受信して接続を決定するので、周囲環境も接続に反映させることも可能となる。
【００７０】
［実施の形態２］
実施の形態２では、抵抗値を測定することによりアンテナ配置の推測を行なう場合について説明する。
【００７１】
図１０は、実施の形態２の基地局装置１００の構成を示したブロック図である。
【００７２】
図１０を参照して、基地局装置１００は、移動体端末装置との無線接続を行なう８本のアンテナＡＮＴ１１〜ＡＮＴ１８と、アンテナＡＮＴ１１〜ＡＮＴ１８とそれぞれ接続されグランドとの間に固有の抵抗値を持つ抵抗素子Ｒ１〜Ｒ８と、アンテナと基地局内部回路との接続切替を行なうアンテナ切替スイッチ１０２と、アンテナ切替スイッチを介してアンテナＡＮＴ１１〜ＡＮＴ１８と接続され無線信号の増幅や周波数変換あるいは変復調などの無線信号処理を行なう無線送受信回路１０３，１０６と、無線送受信回路１０３，１０６にそれぞれ対応して設けられベースバンドレベルでの送受信信号をデジタル処理するデジタル信号処理回路１０４，１０７と、通信網との呼接続を行なってデータを送受する回線インターフェイス回路１０５とを含む。抵抗素子Ｒ１，Ｒ２，Ｒ３，…，Ｒ８の抵抗値は、それぞれ１０ｋΩ，１１ｋΩ，１２ｋΩ，…，１７ｋΩである。抵抗値が十分大きいので電波の送受信には抵抗素子Ｒ１〜Ｒ８は悪影響を与えることはない。
【００７３】
基地局装置１００は、さらに、アンテナ設置工事時にアンテナごとに接続された抵抗素子のインピーダンスを測定するインピーダンス測定回路１１０と、インピーダンス測定回路での測定結果をもとにアンテナ切替スイッチ１０２の接続方法を制御するアンテナ選択制御回路１０９と、基地局装置１００内部の機能ブロックに総合的に接続され全体の総括的な制御を司る制御回路１０８とを含む。
【００７４】
インピーダンス測定回路１１０、アンテナ選択制御回路１０９および制御回路１０８は、制御部１１５として動作する。この制御部１１５は、アンテナ切替スイッチ１０２が初期状態であるときに、アンテナが接続される複数のコネクタＣＯＮ１〜ＣＯＮ８を経由して複数のアンテナＡＮＴ１１〜ＡＮＴ１８の特性つ、まりインピーダンスを取得する。そして制御部１１５は、複数のコネクタＣＯＮ１〜ＣＯＮ８にそれぞれ接続されている複数のアンテナＡＮＴ１１〜ＡＮＴ１８の各々が無線送受信回路１０３，１０６に対応する２つのグループのいずれに属すべきものかを取得した特性に基づいて判断し、アンテナ切替スイッチ１０２の状態を初期状態から使用に適した使用状態に切替える。
【００７５】
このような装置においてＰＨＳ基地局装置の設置工事で、アンテナ接続を行なう場合について図１０を参照しながら説明する。なお、アンテナ工事については実施の形態１の場合と同様であり説明は繰返さない。
【００７６】
さて、アンテナの素子接続順序以外は、運用のための準備が整った状態に至っているとする。まず、制御回路１０８は、アンテナ選択制御回路１０９に対して指示を行ない、アンテナ切替スイッチ１０２を操作してアンテナコネクタのうちの１つのみをインピーダンス測定回路１１０に接続する。
【００７７】
インピーダンス測定回路１１０は、アンテナの接続を確認すると、アンテナのインピーダンス測定を行ない、その値を制御回路１０８に伝える。制御回路１０８は、次のコネクタのインピーダンスを測定させるために、アンテナ選択制御回路１０９を操作して２番目のコネクタをインピーダンス測定回路１１０に接続させる。そして同様にインピーダンス測定が行なわれる。
【００７８】
制御回路１０８は、このような操作をアンテナのコネクタの数だけ繰返して行ない、アンテナ数分のインピーダンス測定値を入手する。
【００７９】
このアンテナごとのインピーダンス値は、アンテナの基台の位置に固有の値であり、インピーダンス値の測定でアンテナがアンテナ基台のどこに付いているかを判定できる。
【００８０】
これにより、制御回路１０８では、インピーダンスの測定値からアンテナ位置の推定を行ない、これに基づいてアンテナ選択制御回路１０９を介してアンテナ切替スイッチ１０２を制御し、無線性能の最適化が見込めるアンテナ配置、たとえば図１３で説明したようなアンテナ配置を設定する。
【００８１】
実施の形態２においても、設置工事の際に複数のアンテナと基地局のコネクタの接続の対応が不明な状態でも、その後最適なアンテナ配置に複数の無線送受信装置を対応づけて内部で接続しなおすことができる。
【００８２】
なお、アンテナ切替スイッチ１０２の構成は、図４で説明したアンテナ切替スイッチ２の構成において、接続スイッチ２３の試験電波送出回路１１および試験電波受信回路１２に接続される側を共通ノードとしインピーダンス測定回路１１０に接続し、接続スイッチ２３の導通させるスイッチの位置を１つずつ順に変化させていけばよい。
【００８３】
実施の形態２においても、アンテナのケーブルを基地局のコネクタに任意の接続関係で接続しても後から適切な接続に変更することができる。これにより工事の能率が向上する。また、基地局装置の性能を十分に発揮することができる。
【００８４】
また、接続決定のために試験電波を発信しないので、実施の形態１の基地局装置に比べて簡単な構成にすることができる。
【００８５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８６】
【発明の効果】
本発明によれば、アンテナのケーブルを基地局のコネクタに任意の接続関係で接続しても後から適切な接続に変更することができる。これにより工事の能率が向上する。また、基地局装置の性能を十分に発揮することができる。
【図面の簡単な説明】
【図１】実施の形態１の基地局装置１の構成を示したブロック図である。
【図２】本発明のＰＨＳ基地局装置の設置工事で、アンテナ接続を行なう場合について説明するための図である。
【図３】アンテナ切替スイッチの内部の構成を示した図である。
【図４】試験電波の送出と受信を説明するための図である。
【図５】試験時におけるアンテナ切替えスイッチ２内部の信号の流れを示す図である。
【図６】アンテナの配置の推測とアンテナ切替スイッチの設定を行なう動作を説明するためのフローチャートである。
【図７】ステップＳ１２で作成されたテーブルの一例を示す図である。
【図８】図７で示した受信レベルの一例によって推測された全体配置を示した図である。
【図９】アンテナ切替スイッチの接続を説明するための図である。
【図１０】実施の形態２の基地局装置１００の構成を示したブロック図である。
【図１１】アンテナと基地局装置本体との接続工事を説明するための図である。
【図１２】従来の基地局装置５０１の構成を示したブロック図である。
【図１３】図１１において説明したアンテナと図１２で説明した基地局装置との接続例を説明するための図である。
【符号の説明】
１，１００  基地局装置、２，１０２  アンテナ切替スイッチ、３，６，１０３，１０６  無線送受信回路、４，７，１０４，１０７  デジタル信号処理回路、５，１０５  回線インターフェイス回路、８，１０８  制御回路、９，１０９アンテナ選択制御回路、１０  信号解析記録回路、１１  試験電波送出回路、１２  試験電波受信回路、２１  切替部、２２，２３  接続スイッチ、１１０  インピーダンス測定回路、ＡＮＴ１〜ＡＮＴ８，ＡＮＴ１１〜ＡＮＴ１８  アンテナ、Ｂ  箱、ＣＢ１〜ＣＢ８  ケーブル、ＣＯＮ１〜ＣＯＮ８  コネクタ、Ｐ支柱、Ｒ１〜Ｒ８  抵抗素子。
【図１】
2004289220.tif 000003
【図２】
2004289220.tif 000004
【図３】
2004289220.tif 000005
【図４】
2004289220.tif 000006
【図５】
2004289220.tif 000007
【図６】
2004289220.tif 000008
【図７】
2004289220.tif 000009
【図８】
2004289220.tif 000010
【図９】
2004289220.tif 000011
【図１０】
2004289220.tif 000012
【図１１】
2004289220.tif 000013
【図１２】
2004289220.tif 000014
【図１３】
2004289220.tif 000015